(57)【特許請求の範囲】
【請求項１】
複数種の図柄が所定数決められた順序で配列され順次繰り返し表示部に表示する表示手段が表示部を一列に並べて複数設けられ、前記各表示手段が前記図柄の繰り返し表示を停止したときの表示部の入賞ライン上に並んで表示された図柄の組合せによって入賞が決まる図柄組合せ遊技装置において、
前記表示部とは別に同表示部に隣接して設けられた副表示部に前記表示手段が表示する図柄と同じで縮小した図柄を同じ順序で同時に表示する副表示手段を有し、
前記副表示手段は、前記表示手段が前記表示部に表示した図柄を含んで前後の繰り返し表示する全図柄と同じ全図柄を同時に副表示部に表示するとともに、
前記入賞ラインを直線的に隣接した前記副表示部に延長したライン上に前記表示部に表示された図柄と同じ図柄が同時に並ぶよう表示することを特徴とする図柄組合せ遊技装置。
【請求項２】
前記副表示手段は、前記副表示部をＣＲＴディスプレイまたは液晶ディスプレイとした画像表示手段であることを特徴とする請求項１記載の図柄組合せ遊技装置。
【請求項３】
前記表示手段は、外周面に複数種の図柄が所定数配列図示され回転して順次繰り返し図柄を前記表示部である表示窓に表示する回胴であることを特徴とする請求項１または請求項２記載の図柄組合せ遊技装置。
【請求項４】
前記表示窓は略１つの図柄を表示する大きさで左右に３つ並んで設けられたことを特徴とする請求項３記載の図柄組合せ遊技装置。
【請求項５】
前記表示手段は、前記表示部をＣＲＴディスプレイまたは液晶ディスプレイとした画像表示手段であることを特徴とする請求項１から請求項４のいずれかの項記載の図柄組合せ遊技装置。
【請求項６】
前記副表示手段は、前記表示手段とともに図柄の繰り返し表示速度を徐々に遅くして停止させることを特徴とする請求項１から請求項５のいずれかの項記載の図柄組合せ遊技装置。
【発明の詳細な説明】
【０００１】
【発明の属する技術分野】
本発明は、パチンコ遊技機において一部に設けられ、あるいはスロットマシン，パチスロ遊技機等の図柄の組合せにより入賞が決まる図柄組合せ遊技装置に関する。
【０００２】
【従来の技術】
従来のパチンコ遊技機の一般的例（特開平６−３９１１１号公報等）を図３および図４に示す。
同パチンコ機01は、保持枠02の前面上部に遊戯盤03が嵌め込まれ、遊戯盤03より下方にパチンコ球を供給する供給皿04、さらにその下に出球を貯溜する受皿05が配設され、受皿05の右方にパチンコ球を発射する操作ダイヤル07を備えた発射装置06が設けられている。
【０００３】
遊戯盤03の中央にカラー液晶ディスプレイ08が設けられ、その両脇および下方に特定入賞口011 がぞれぞれ配設されている。
カラー液晶ディスプレイ08には図４に示すような画像が表示される。
横長矩形の画面が左中右の３つの画像に区切られ、各画像表示部09に所定数決められた順序で配列された複数種の図柄010 が順次繰り返し表示される。
【０００４】
すなわち外周面に複数種の図柄が所定数配列図示された回胴が３個中心軸を同じくして回転して横長矩形の表示窓から一部を覗かせる機械的構造のものを模したものであり、表示窓を画像表示部としてカラー液晶ディスプレイで表示させている。
【０００５】
したがって図４に示すように３つの画像表示部010 に、それぞれ回胴が回転して順次図柄が現れる様子が再現された図柄の繰り返し表示が行われる。
同例に示される図柄010 は数字であり、数字の若い順に配列されていて順次回転しながら現れる。
【０００６】
発射装置06から発射された打球が特定入賞口011 のいずれかに入ると、３つの画像表示部09がそれぞれ図柄010 の繰り返し表示を開始し、所定の時間をおいて順次停止し、停止したときに現れた図柄の組合せが３つとも同じ図柄であると、特定の遊技状態、所謂大当たりとなる。
【０００７】
【発明が解決しようとする課題】
したがって遊技者は、最初に繰り返し表示が停止した画像表示部の図柄と同じ図柄が他の画像表示部に出現するように期待することになり、他の図柄表示部の繰り返し表示が停止しそうになると、どの図柄が停止して表示されるか大いに注目することになる。
【０００８】
図柄が繰り返し現れる順番は決まっているので、図柄の順番を覚えていれば繰り返し表示が停止しそうになったときに、これから目的の図柄が出現する可能性が予め分かり、大当たりへの期待感が大いに膨らむことになる。
【０００９】
前記した例のように数字が若い順に表示される場合は、順番は自ずと分かるが、文字や絵等の図柄の場合は、順番を一々覚えることはできないので、繰り返し表示が停止しそうになったときに目的の図柄が出現しそうか否かは殆ど分からず大当たりへの期待感を増大させることがなく興味も半減する。
【００１０】
また数字が表示される場合でも、繰り返し表示が停止しそうになったときに目的の図柄がどの程度の可能性で出現するかが、視覚的に認識できないので、いま一つ興奮度に欠けるところがある。
【００１１】
本発明は、かかる点に鑑みなされたもので、その目的とする処は、目的の図柄が予めどの程度の可能性で出現するかを、視覚的に予想することができ、大当たりへの期待感を大いに増大させエキサイティングなプレイを楽しむことができる図柄組合せ遊技装置を供する点にある。
【００１２】
【課題を解決するための手段および作用効果】
上記目的を達成するために、本発明は、複数種の図柄が所定数決められた順序で配列され順次繰り返し表示部に表示する表示手段が表示部を一列に並べて複数設けられ、前記各表示手段が前記図柄の繰り返し表示を停止したときの表示部の入賞ライン上に並んで表示された図柄の組合せによって入賞が決まる図柄組合せ遊技装置において、前記表示部とは別に同表示部に隣接して設けられた副表示部に前記表示手段が表示する図柄と同じで縮小した図柄を同じ順序で同時に表示する副表示手段を有し、前記副表示手段は、前記表示手段が前記表示部に表示した図柄を含んで前後の繰り返し表示する全図柄と同じ全図柄を同時に副表示部に表示するとともに、前記入賞ラインを直線的に隣接した前記副表示部に延長したライン上に前記表示部に表示された図柄と同じ図柄が同時に並ぶよう表示する図柄組合せ遊技装置とした。
【００１３】
副表示部には表示部に表示した図柄を含んで前後の複数の図柄と同じ複数の図柄を同時に表示するので、繰り返し表示が停止しそうになったときに、目的の図柄が予めどの程度の可能性で表示部に出現するかが、副表示部に順番に複数表示された図柄から目的の図柄に注目してその動きを追うことで、視覚的に予想することができ、大当たりへの期待感を大いに増大させエキサイティングなプレイを楽しむことができる。
【００１４】
副表示部には、全図柄が表示されるので、目的の図柄の現在位置を常に知ることができる。
【００１６】
表示部に隣接して副表示部を有し、表示部とともに副表示部を容易に見ることができ、入賞ラインを延長したラインに表示部に表示された図柄と同じ図柄が同時に並ぶよう表示するので、副表示部において目的の図柄に注目して当該図柄が前記ライン上で停止するか否かを視覚的に予想し易い。
【００１７】
請求項２記載の発明は、請求項１記載の図柄組合せ遊技装置において、前記副表示手段が、前記副表示部をＣＲＴディスプレイまたは液晶ディスプレイとした画像表示手段である。
副表示部には複数の図柄が同時に繰り返し表示されるので、機械的に回胴を回転させるよりＣＲＴディスプレイまたは液晶ディスプレイを利用した方が、小型コンパクト化が図れる。
【００１８】
請求項３記載の発明は、請求項１または請求項２記載の図柄組合せ遊技装置において、前記表示手段が、外周面に複数種の図柄が所定数配列図示され回転して順次繰り返し図柄を前記表示部である表示窓に表示する回胴であることを特徴とする。
表示手段が回胴を回転させて表示窓から図柄を表示させる動きを感覚的に把握し易い。
【００１９】
請求項４記載の発明は、前記表示窓が略１つの図柄を表示する大きさで左右に３つ並んで設けられたものである。
一般のスロットマシン等と同じである。
【００２０】
請求項５記載の発明は、請求項１から請求項４のいずれかの項記載の図柄組合せ遊技装置において、前記表示手段が、前記表示部をＣＲＴディスプレイまたは液晶ディスプレイとした画像表示手段であることを特徴とする。
機械的な回胴の回転を表示手段が模倣してＣＲＴディスプレイまたは液晶ディスプレイに画像表示するものである。
【００２１】
請求項６記載の発明は、請求項１から請求項５のいずれかの項記載の図柄組合せ遊技装置において、前記副表示手段が、前記表示手段とともに図柄の繰り返し表示速度を徐々に遅くして停止させることを特徴とする。
【００２２】
副表示手段が、表示手段とともに図柄の繰り返し表示速度を徐々に遅くして停止させるので、図柄の繰り返し表示が停止しそうになるときに繰り返し表示速度がますます遅くなり、目的の図柄が所定位置に停止するか否かが微妙であるとその微妙さを視覚的に捉えることができ大当たりへの期待感とともに興奮を味わうことができゲームへの興味が尽きないものがある。
【００２３】
【発明の実施の形態】
以下本発明に係る一実施の形態について図１ないし図２に図示し説明する。
本実施の形態はパチンコ機１に適用されたもので、前記パチンコ機01と同様に矩形の保持枠２の前面上部に遊技盤３が嵌め込まれ、遊技盤３より下方にパチンコ球を供給する供給皿４、さらにその下に出球を貯溜する受皿５が配設され、受皿５の右方にパチンコ球を発射する操作ダイヤル７を備えた発射装置６が設けられている。
【００２４】
遊技盤３の中央に表示部10があり、その表示部10に図１において左側に隣接して副表示部20が設けられている。
表示部10の下方に特定入賞口９が配設されている。
【００２５】
図２は表示部10と副表示部20を正面から図示したもので、同図２を参照して表示部10には、透明板を張設された表示窓10ａが３つ左右に並んで設けられ、同表示窓10ａの内側に外周面に複数種の図柄14が所定数配列図示された回胴が３個中心軸を同じくして回転自在に設けられ、各回胴11，12，13はそれぞれステップモータにより互いに独立して回転させられるようになっている。
【００２６】
各回胴11，12，13の外周面の一部がそれぞれ表示窓10ａに臨んでおり、図２に示すように表示窓10ａの中央に図柄14が表示されるとその前後（上下）の図柄14が若干見える。
図示された図柄は数字を含む文字，記号の類で、回胴11，12，13の外周面に配列された図柄の順序には全く規則性はない。
【００２７】
この表示部10の左側に隣接して設けられた副表示部20は、若干縦長の矩形画面を備える液晶ディスプレイであり、画像は３本の縦長の帯状部分21，22，23に３分割され、３本の各帯状部分21，22，23は前記表示部10の３個の回胴11，12，13にそれぞれ対応しており、対応する回胴11，12，13の外周面に図示された図柄14の全てが同じ順序で縦に順番に表示される。
【００２８】
表示部10の中央を通る水平線である入賞ラインＬが左に直線的に延長されて副表示部20における入賞ラインＬ’となっており、同入賞ラインＬ’上に表示部10に出現した図柄と同じ図柄が同時に表示される。
したがって同入賞ラインＬ’上の図柄の下方には、既に表示部10に順次出現した略半分の図柄14が順次表示され、入賞ラインＬ’上の図柄の上方には、これから表示部10に順次出現する略半分の図柄が順次表示されている。
【００２９】
回胴11，12，13を回転させるステップモータの駆動および副表示部20の液晶ディスプレイの画像表示は、全てコンピュータにより制御されている。
このコンピュータ制御により各回胴11，12，13の回転に同期してそれぞれ対応する帯状部分21，22，23に表示された図柄が下方へ移動され、最下部にあった図柄は繰り返し最上部に移されるように表示される。
【００３０】
以下本パチンコ機１の作用を説明する。
遊技者が操作ダイヤル７を所定量回転させると、発射装置６からパチンコ球が発射される。
発射されたパチンコ球は遊技盤３に沿って多数植設された釘に当たりながら落下していき、入賞口に入ると出球があり受皿５に溜まり、いずれの入賞口にも入らないと外れである。
【００３１】
そして入賞口の中でも前記特定入賞口９にパチンコ球が入ると、表示部10の３個の回胴11，12，13が一斉に回転を始め、同時に副表示部20の３本の帯状部分21，22，23の図柄も移動表示される。
各回胴11，12，13は、回転を始めると、それぞれ所定の時間を経過した後回転を停止させられるので、３個の回胴11，12，13は互いに時間差をもって停止する。
【００３２】
回胴11，12，13は、停止時間に近づくにつれて回転速度が徐々に遅くなって停止するように制御されており、副表示部20の対応する帯状部分21の図柄も同様に減速しながら停止するよう移動表示される。
そして３個の回胴11，12，13が全て停止したときの入賞ラインＬ上に出現した図柄が３つとも同じ図柄が揃うと大当たりとなり、特別に有利な遊技状態となる。
【００３３】
いま３個の回胴11，12，13が一斉に回転を始めた後、任意に決められた時間が経過して左側の回胴11と右側の回胴13が順次停止して、中央の回胴12が停止する寸前で回転速度がかなり落ちている状態の一例を図２の▲１▼，▲２▼，▲３▼が示している。
入賞ラインＬ上には左側の回胴11と右側の回胴13が同じ“＄”を出現させて停止しており、もし中央の回胴12が“＄”を出現させて停止すれば、“＄”が入賞ラインＬ上に３つ揃い大当たりとなる。
【００３４】
図２の▲１▼の状態では、回転駆動中の中央の回胴12は“￥”が出現した処で、さらに図２の▲２▼，▲３▼のように回転し減速が益々進んで停止しそうになる。
図２の▲３▼の状態で中央の回胴12が停止してしまうと、“？”が入賞ラインＬ上に出現し大当たりを逃すことになる。
【００３５】
図２の▲３▼の状態では停止せず、さらに回転して次の図柄が入賞ラインＬ上に出現した処で停止すれば、当該図柄が“＄”であるので、大当たりとなる。
しかし同図柄が出現してもなお停止しないと、大当たりを逃すことになる。
【００３６】
遊技者は、表示部10のみを見ている限りは回胴の回転により次からどの図柄が順次出現するかが事前には分からないが、副表示部20を見ることにより、これを知ることができる。
すなわち図２の▲１▼の状態で、回転駆動中の中央の回胴12に対応する副表示部20の帯状部分22を見ると、入賞ラインＬ’上に表示された“￥”の次に出現するのが“？”で、さらにその次に出現するのが“＄”であることが分かる。
【００３７】
したがって遊技者は、図２の▲１▼の状態で略停止しそうに回転している中央の回胴12があと２つ先の図柄を出現させて停止すれば大当たりとなることを予め知ることができるため、大当たりへの期待感が増大しエキサイティングなプレイを楽しむことができる。
【００３８】
また停止寸前の回胴11，12，13はかなり減速しているので、目的の図柄“＄”が入賞ラインＬ上で停止するか否かが微妙であり、この微妙さを視覚的に捉えることができ、益々興奮を味わうことができ、ゲームへの興味を尽きさせないものがある。
【００３９】
副表示部20が表示部10に隣接しており、表示部10とともに副表示部20を容易に見ることができ、双方の入賞ラインＬ，Ｌ’を同一直線上にしているので、副表示部20において目的の図柄に注目して当該図柄が入賞ラインＬ’上で停止するか否かを視覚的に予想し易い。
【００４０】
以上の実施の形態では、表示部10を回胴11，12，13を回転させる機械的構造のものであったが、液晶ディスプレイやＣＲＴディスプレイによる画像表示にしてもよい。
また副表示部20もＣＲＴディスプレイにしてもよい。
【００４１】
副表示部20には、回胴11，12，13に図示された全ての図柄を各帯状部分21，22，23に表示させるようにしたが、これから回胴の回転により出現する図柄を一部複数個表示させるようにしてもよい。
【図面の簡単な説明】
【図１】本発明の一実施の形態に係るパチンコ機の全体正面図である。
【図２】同パチンコ機の表示部と副表示部の３つの変化状態の一例を示す正面図である。
【図３】従来のパチンコ機の全体正面図である。
【図４】同パチンコ機のカラー液晶ディスプレイの正面図である。
【符号の説明】
１…パチンコ機、２…保持枠、３…遊技機、４…供給皿、５…受皿、６…発射装置、７…操作ダイヤル、９…特定入賞口、
10…表示部、11，12，13…回胴、14…図柄、
20…副表示部、21，22，23…帯状部分。
【図１】
0004140070.tif 000002
【図２】
0004140070.tif 000003
【図３】
0004140070.tif 000004
【図４】
0004140070.tif 000005